(57)【要約】【課題】光書込み装置全体を移動させる場合に比べ、移動させる空間を少なくすることができる画像形成装置を提供することができる画像形成装置を提供する。【解決手段】画像形成装置１０は、像を保持する像保持体４２と、像保持体４２に保持された像が転写される被転写部材５２と、光書込み装置本体１００と、光書込み装置本体１００が保持された保持体１４０と、を有する光書込み装置３２と、を有し、保持体１４０は、被転写部材５２と対向して固定され、光書込み装置本体１００は、像保持体４２が出し入れされる側と反対側が回転自在に保持体１４０に取り付けられ、像保持体４２が装着されていない場合、光書込み装置本体１００は、保持体１４０に対して、傾斜して支持されている。【選択図】図３
2017037266.tif 000002
【特許請求の範囲】
【請求項１】
像を保持する像保持体と、
前記像保持体に保持された像が転写される被転写部材と、
光書込み装置本体と、前記光書込み装置本体が保持された保持体と、を有する光書込み装置と、を有し、
前記保持体は、前記被転写部材と対向して固定され、
前記光書込み装置本体は、前記像保持体が出し入れされる側と反対側が回転自在に前記保持体に取り付けられ、
前記像保持体が装着されていない場合、前記光書込み装置本体は、前記保持体に対して、傾斜して支持されている画像形成装置。
【請求項２】
前記像保持体は、前記光書込み装置本体の傾斜に沿って出し入れがされる請求項１に記載の画像形成装置。
【請求項３】
前記光書込み装置本体は、傾斜した状態で挿入された前記像保持体が前記光書込み装置と位置決めされた後、前記像保持体と共に移動され、前記像保持体と対向するように配置されると共に、前記像保持体が前記被転写部材と対向して配置される請求項１又は２に記載の画像形成装置。
【請求項４】
前記光書込み装置は、前記光書込み装置本体が傾斜した状態を支持する支持機構を有している請求項１乃至３のいずれかに記載の画像形成装置。
【請求項５】
前記像保持体が収容される画像形成手段と、
前記光書込み装置本体が傾斜した状態を支持する支持機構を有し、
前記支持機構は、
前記前記光書込み装置本体の移動される側が支持され、前記保持体に回転可能に取り付けられた支持部材と、
前記支持部材に取り付けられた第１押圧部材と、
前記保持体に取り付けられ、前記第１押圧部材が押圧される第２押圧部材と、を有し、
挿入された前記像保持体が前記光書込み装置と装着される場合、前記光書込み装置本体と前記支持機構の前記第１押圧部材が前記画像形成手段に嵌まり込むことで位置決めがされる請求項３に記載の画像形成装置。
【発明の詳細な説明】
【技術分野】
【０００１】
本発明は、画像形成装置に関する。
【背景技術】
【０００２】
画像形成装置における画像形成ユニットの着脱に係る発明として、例えば、下記特許文献１に、電子写真感光体ドラムを有する画像形成ユニットを電子写真画像形成装置の装置本体に取り外し可能に装着した状態で、記録媒体に画像を形成する電子写真画像形成装置において、前記画像形成ユニットを前記電子写真感光体ドラムの回転軸線方向とほぼ平行に取り外し可能に装着するカートリッジ支持体であって、画像形成ユニット挿入方向下流側の支点を中心に前記装置本体に回動可能に配設されていて、前記画像形成ユニットが画像形成を行うための画像形成位置と、前記画像形成位置から退避する退避位置とをとり得るように、前記画像形成ユニットを支持する前記カートリッジ支持体と、前記画像形成ユニットが前記画像形成位置に位置した状態で、前記電子写真感光体ドラムの回転軸線方向に並んで設けられ、前記電子写真感光体ドラムを露光するために画像情報に応じて発光する複数個の発光素子を有する発光部材と、画像形成ユニット挿入方向下流側の支点を中心に前記装置本体に回動可能に配設されていて、前記発光素子が発光することにより前記電子写真感光体ドラムを露光する露光位置と、前記露光位置から退避する退避位置とを前記発光部材がとり得るように、前記発光部材を支持する発光部材支持体と、前記画像形成ユニットが前記画像形成位置に位置した状態で、前記電子写真感光体ドラムに形成された現像剤像を前記記録媒体に転写するための転写部材であって、前記装置本体に位置決めされている前記転写部材と、使用者が、前記画像形成ユニットを前記装置本体に対して出し入れする際に操作する操作部材であって、第１の操作位置と第２の操作位置とをとり得る前記操作部材と、前記操作部材の操作に連動する連動部材であって、前記操作部材が前記第２の操作位置から前記第１の操作位置に操作されるのに連動して、前記画像形成ユニットが前記画像形成位置に位置するように前記カートリッジ支持体を前記支点を中心に回動すると共に前記発光部材が前記露光位置に位置するように前記発光部材支持体を前記支点を中心に回動する、および、前記操作部材が前記第１の操作位置から前記第２の操作位置に操作されることで、前記画像形成ユニットが前記退避位置に位置するように前記カートリッジ支持体を前記支点を中心に前記転写部材から離れる方向に回動して前記画像形成ユニットを前記転写部材に対して角度θ１をもって傾斜させた姿勢に保持すると共に前記発光部材が前記退避位置に位置するように前記発光部材支持体を前記支点を中心に前記転写部材から離れる方向に回動して前記発光部材を前記転写部材に対して角度θ２をもって傾斜させた姿勢に保持する前記連動部材と、を有し、前記角度θ１と前記角度θ２が、θ１＜θ２、であることを特徴とする電子写真画像形成装置が開示されている。
【先行技術文献】
【特許文献】
【０００３】
【特許文献１】特開２０１１−２５３０４８号公報
【発明の概要】
【発明が解決しようとする課題】
【０００４】
従来、画像形成装置では、画像形成手段を着脱させる場合において、光書込み装置を画像形成ユニットの退避角度以上に移動させると共に、画像形成装置内に設けられた光書込み装置と接触を避けるために、この光書込み装置をさらに移動させるための空間を必要とし、小型化が困難であるという課題がある。
【０００５】
本発明は、画像形成ユニットを着脱させる際に光書込み装置全体を移動させる場合に比べ、移動させる空間を少なくすることができる画像形成装置を提供することを目的とする。
【課題を解決するための手段】
【０００６】
請求項１に係る本発明は、像を保持する像保持体と、前記像保持体に保持された像が転写される被転写部材と、光書込み装置本体と、前記光書込み装置本体が保持された保持体と、を有する光書込み装置と、を有し、前記保持体は、前記被転写部材と対向して固定され、前記光書込み装置本体は、前記像保持体が出し入れされる側と反対側が回転自在に前記保持体に取り付けられ、前記像保持体が装着されていない場合、前記光書込み装置本体は、前記保持体に対して、傾斜して支持されている画像形成装置である。
【０００７】
請求項２に係る本発明は、前記像保持体は、前記光書込み装置本体の傾斜に沿って出し入れがされる請求項１に記載の画像形成装置である。
【０００８】
請求項３に係る本発明は、前記光書込み装置本体は、傾斜した状態で挿入された前記像保持体が前記光書込み装置と位置決めされた後、前記像保持体と共に移動され、前記像保持体と対向するように配置されると共に、前記像保持体が前記被転写部材と対向して配置される請求項１又は２に記載の画像形成装置である。
【０００９】
請求項４に係る本発明は、前記光書込み装置本体が傾斜した状態を支持する支持機構を有している請求項１乃至３のいずれかに記載の画像形成装置。
【００１０】
請求項５に係る本発明は、前記像保持体が収容される画像形成手段と、前記光書込み装置本体が傾斜した状態を支持する支持機構を有し、前記支持機構は、前記前記光書込み装置本体の移動される側が支持され、前記保持体に回転可能に取り付けられた支持部材と、前記支持部材に取り付けられた第１押圧部材と、前記保持体に取り付けられ、前記第１押圧部材が押圧される第２押圧部材と、を有し、挿入された前記像保持体が前記光書込み装置と装着される場合、前記光書込み装置本体と前記支持機構の前記第１押圧部材が前記画像形成手段に嵌まり込むことで位置決めがされる請求項３に記載の画像形成装置である。
【発明の効果】
【００１１】
請求項１に係る本発明によれば、画像形成ユニットを着脱させる際に光書込み装置全体を移動させる場合に比べ、移動させる空間を少なくすることができる画像形成装置を提供することができる。
【００１２】
請求項２に係る本発明によれば、請求項１に係る本発明の効果に加え、像保持体が光書込み装置に接触することを防止することができる。
【００１３】
請求項３に係る本発明によれば、請求項１又は２に係る本発明の効果に加え、別々に移動する場合に比べ、効率よく移動させることができる。
【００１４】
請求項４に係る本発明によれば、請求項１乃至３のいずれかに係る本発明の効果に加え、像保持体との接触を防止することができる。
【００１５】
請求項５に係る本発明によれば、請求項３に係る本発明の効果に加え、画像形成手段の移動に伴い光書込み装置本体を移動させることができる。
【図面の簡単な説明】
【００１６】
【図１】実施形態に係る画像形成装置を示す側面断面図である。
【図２】実施形態に係る画像形成装置の開閉部を開いた状態の斜視図である。
【図３】図３Ａは画像形成装置本体内に画像形成ユニットが装着される過程を示した模式図であり、図３Ｂは画像形成ユニットが光書込み装置に装着された状態を示した模式図であり、図３Ｃは画像形成ユニットを画像形成装置本体において使用可能な状態を示した模式図である。
【図４】図４Ａは光書込み装置の光書込み装置本体を傾斜させて支持した状態を示した側面図であり、図４Ｂは光書込み装置の光書込み装置本体を平行に支持した状態を示した側面図である。
【図５】図５は光書込み装置の斜視図である。
【図６】図６は光書込み装置本体の斜視図である。
【図７】図７Ａは光書込み装置本体の可動側を拡大した斜視図であり、図７Ｂは底面側から見た斜視図である。
【図８】図８Ａは光書込み装置本体の奥側を拡大した斜視図であり、図７Ｂは底面側から見た斜視図である。
【図９】図９は光書込み装置の可動側支持機構を拡大した斜視図である。
【図１０】図１０は光書込み装置の可動側支持機構を拡大した側面図である。
【図１１】図１１は可動側支持機構の可動側支持部材とＳ字ばねを拡大した斜視図である。
【図１２】図１２Ａは可動側支持部材の斜視図であり、図１２ＢはＳ字ばねの斜視図である。
【図１３】図１３は光書込み装置の奥側支持機構を拡大した斜視図である。
【図１４】図１４は光書込み装置の奥側支持機構を拡大した側面図である。
【図１５】図１５は光書込み装置の奥側支持機構を底面側からみた斜視図である。
【図１６】図１６Ａは奥側支持部材の斜視図であり、図１６Ｂは第２アースばねの斜視図である。
【図１７】図１７は可動側支持機構に画像形成ユニットが嵌まり込む過程を示した側面図である。
【図１８】図１８は画像形成ユニットが画像形成装置本体に使用可能な位置に移動された状態を示す側面図である。
【図１９】図１９Ａは画像形成ユニットを一方からみた斜視図であり、図１９Ｂは他方からみた斜視図である。
【図２０】図２０は画像形成ユニットの挿入部側を拡大した斜視図である。
【発明を実施するための形態】
【００１７】
以下、図面を参照して本発明の実施形態を説明する。但し、以下に示す実施形態は、本発明の技術思想を具体化するための画像形成装置を例示するものであって、本発明をこれに特定することを意図するものではなく、特許請求の範囲に含まれるその他の実施形態のものにも等しく適応し得るものである。
【００１８】
［実施形態］
図１〜図２０を参照して、本発明の実施形態に係る光書込み装置３２を備えた画像形成装置１０について説明する。
【００１９】
画像形成装置１０は、図１、図２に示すように画像形成装置本体１２を有し、画像形成装置本体１２の上側の面には、画像の形成された記録媒体２６が排出される排出部１４が設けられている。
【００２０】
画像形成装置本体１２の一方の側面側には、図２に示すように、後述する画像形成手段としての画像形成ユニット３０が抜き差しされて着脱される開口部１６と、この画像形成装置本体１２に開閉自在に設けられ、この開口部１６を開閉する開閉部１８とが設けられている。開口部１６は画像形成ユニット３０の挿入部として用いられ、画像形成ユニット３０は開口部１６から画像形成装置本体１２に挿入するようにして装着される。
【００２１】
また、実施形態の画像形成装置１０には、図３に示すように、画像形成装置本体１２に画像形成ユニット３０を装着させるために、画像形成ユニット３０が画像形成装置本体１２内に挿入させる場合の位置（図３Ａ、図３Ｂ参照）と画像形成ユニット３０が使用可能な状態に配置させる場合の位置（図３Ｃ参照）とが昇降装置（不図示）により移動可能とされている。なお、実施形態の画像形成装置１０では、画像形成ユニット３０は、画像形成装置本体１２内に設けられた被転写部材５２（図１、図３参照）に対して開口部１６側が下方に傾斜した状態で画像形成装置本体１２内に挿入される。そして、画像形成ユニット３０が傾斜した状態で画像形成装置本体１２内に装着された後、昇降装置を操作して傾斜した状態から被転写部材５２に対して平行となるように移動させ、画像形成ユニット３０が使用可能な状態に配置されるようになる。
【００２２】
画像形成装置本体１２内には、図１に示すように、記録媒体２６に転写する画像を形成する画像形成部２０と、この画像形成部２０に記録媒体２６を供給する記録媒体供給装置２２と、この記録媒体供給装置２２から供給された記録媒体２６を排出部１４まで搬送する搬送路２４とが配設されている。
【００２３】
画像形成部２０は、例えば、イエロー（Ｙ）、マゼンタ（Ｍ）、シアン（Ｃ）、黒（Ｋ）の４色に対応する画像形成ユニット３０と、光書き込み装置３２と、転写装置３４とにより構成される。画像形成ユニット３０及びこれらの構成要素は、形成する画像の色以外は同様に構成されている。
【００２４】
画像形成ユニット３０は、それぞれ交換部材として用いられ、画像形成装置本体１２に対して着脱自在に設けられている。画像形成ユニット３０は、例えば、画像形成装置本体１２の後側（図１における左側）から順に、Ｙ、Ｍ、Ｃ、Ｋの順に並べられている。なお、画像形成ユニット３０は、先に画像形成装置本体１２内に挿入される挿入部２７４と、挿入部２７４の反対側であって、閉塞されている閉塞部２８６とを有している（図１９、図２０参照）。
【００２５】
画像形成ユニット３０は、例えばカラー画像を形成する電子写真方式のものである。画像形成ユニット３０はそれぞれ、画像形成ユニット本体４０を備える。画像形成ユニット本体４０内には、現像剤像を担持するドラム形状の像保持体４２と、この像保持体４２を一様に帯電する帯電ロールを備えた帯電手段としての帯電装置４４と、像保持体４２に書き込まれた潜像を現像剤（トナー）で現像する現像器４６と、像保持体４２に残留する廃現像剤を例えば掻き取って清掃する清掃装置４８とが設けられている。なお、像保持体４２は、画像形成ユニット３０が画像形成装置本体１２内に装着された場合に光書込み装置３２と対向するように配置されるようになる（図３Ｃ参照）。
【００２６】
現像器４６は、それぞれが収納するＹ、Ｍ、Ｃ、Ｋの現像剤を用いて、対応する像保持体４２に形成された潜像を現像する。
【００２７】
光書込み装置３２は、カラー画像信号に同期してレーザを発光し、帯電装置４４により帯電された像保持体４２上に潜像を形成する。なお、光書込み装置についての詳細は後述する。
【００２８】
転写装置３４は、転写体として用いられる被転写部材５２と、一次転写装置として用いられる一次転写ロール５４と、二次転写装置として用いられる二次転写ロール５６と、清掃装置５８とを有する。
【００２９】
被転写部材５２は、例えば無端状のベルト形状であり、５つの支持ロール６０ａ、６０ｂ、６０ｃ、６０ｄ、６０ｅによって、図１に矢印で示す方向に回転することができるように支持されている。支持ロール６０ａ、６０ｂ、６０ｃ、６０ｄ、６０ｅのうち少なくとも一つはモータ等の動力源（不図示）に連結されており、この動力源からの駆動伝達を受けて回転することで、被転写部材５２が回転駆動するようになっている。なお、画像形成装置本体１２に画像形成ユニット３０が装着された場合、画像形成ユニット３０の像保持体４２と被転写部材５２とが接するようになる（図３Ａ参照）。
【００３０】
支持ロール６０ａは、二次転写ロール５６と対向するように配置され、この二次転写ロール５６のバックアップロールとして機能する。二次転写ロール５６と支持ロール６０ａとで挟まれる部分が二次転写位置となる。
【００３１】
一次転写ロール５４は、それぞれに対応する現像器４６により像保持体４２の表面に形成された現像剤像を、被転写部材５２に転写する。
【００３２】
二次転写ロール５６は、被転写部材５２に転写されたＹ、Ｍ、Ｃ、Ｋの現像剤像を、記録媒体に対して転写する。
【００３３】
清掃装置５８は、二次転写ロール５６で記録媒体に対して各色の現像剤像が転写された後に、被転写部材５２の表面に残留する各色の現像剤を掻き落とす掻き落とし部材６２を有する。掻き落とし部材６２によって掻き落とされた現像剤は、清掃装置５８の本体内に回収される。
【００３４】
記録媒体供給装置２２は、記録媒体を積層した状態で収納する記録媒体収納容器７２と、この記録媒体収納容器７２に収納された最上位の記録媒体を抽出し、抽出した記録媒体を画像形成部２０に向けて搬送する搬送ロール７４と、記録媒体を捌き、画像形成部２０に複数枚の記録媒体が重なった状態で搬送されることを防止するリタードロール７６とを有する。
【００３５】
搬送路２４は、主搬送路８２と、反転搬送路８４とにより構成される。
【００３６】
主搬送路８２は、記録媒体供給装置２２から供給された記録媒体を画像形成部２０に搬送し、画像が形成された記録媒体を排出部１４に排出する。主搬送路８２には記録媒体搬送方向上流側から順に、搬送ロール７４、リタードロール７６、レジストロール８６、転写装置３４、定着装置８８、及び排出ロール９０が配置されている。
【００３７】
レジストロール８６は、記録媒体供給装置２２側から搬送されてきた記録媒体の先端部を一時的に停止させ、画像形成されるタイミングと合致するように記録媒体を転写装置３４に向けて送り出す。
【００３８】
定着装置８８は、加熱ロール８８ａ及び加圧ロール８８ｂを有し、これら加熱ロール８８ａと加圧ロール８８ｂとの間を通過する記録媒体を加熱し加圧することで、記録媒体に現像剤像を定着する。
【００３９】
排出ロール９０は、定着装置８８により現像剤が定着された記録媒体を、排出部１４に排出する。
【００４０】
反転搬送路８４は、一方の面に現像剤像が形成された記録媒体を反転させつつ、再び画像形成部２０に向けて供給する搬送路である。反転搬送路８４には、例えば二つの反転搬送ロール９８ａ、９８ｂが配置されている。
【００４１】
記録媒体が主搬送路８２から排出ロール９０に搬送され、この記録媒体の後端部が排出ロール９０に挟みこまれた状態でこの排出ロール９０が逆回転することで、記録媒体が反転搬送路８４に供給される。反転搬送路８４に供給された記録媒体は、反転搬送ロール９８ａ、９８ｂによって、レジストロール８６の上流の位置へと搬送される。
【００４２】
次に、図４〜図１８を参照して実施形態に係る光書込み装置３２について説明する。実施形態の光書込み装置３２は、図３Ａ、図４Ａに示すように画像形成ユニット３０が装着されていない場合は、光書込み装置３２の光書込み装置本体１００のみが、画像形成装置本体１２の開口部１６側が下方に所定角度θ、例えば１°傾斜して配置される。また、図３Ｃ、図４Ｂに示すように、光書込み装置３２は、画像形成装置本体１２に画像形成ユニット３０が装着された場合に、像保持体４２の軸方向と平行となるように設けられている。
【００４３】
すなわち、画像形成ユニット３０が装着される場合には、傾斜した光書込み装置本体１００に沿って画像形成ユニット３０が斜めに挿入され、画像形成ユニット３０が光書込み装置３２に装着された後、昇降装置を操作することにより、画像形成ユニット３０と光書込み装置３２の光書込み装置本体１００が傾斜した状態から上方へ移動され、画像形成装置本体１２の被転写部材５２を介して一次転写ロール５４と対向するように配置され、画像形成ユニット３０が使用可能な位置に配置されるようになる（図３Ｃ，図４Ｂ参照）。
【００４４】
光書込み装置３２は、図５に示すように、Ｚ方向を長手方向とする光書込み装置本体１００と、光書込み装置本体１００を保持する保持体１４０と、保持体１４０を覆うカバー体２６２とを有し、光書込み装置本体１００の長手方向の両端部には、光書込み装置本体１００が支持される一対の支持機構１５４、２１０で構成されている。この一対の支持機構は、光書込み装置本体１００が保持体１４０内において反復移動可能に配置された側の可動側支持機構１５４と、画像形成装置本体１２の奥側に設けられ、光書込み装置本体１００が移動される際の軸となる奥側支持機構２１０とを有している。そして、実施形態の光書込み装置３２では、光書込み装置本体１００は、一方側を基準して、保持体１４０の内側を反復移動可能とされている。なお、像保持体４２の軸方向と水平方向で直角に交わる方向をＸ、方向Ｘと垂直方向で直角に交わる方向をＹ、像保持体４２の軸方向をＺとする。
【００４５】
光書込み装置本体１００は、図６〜図８に示すように、本体部１０２と、本体部１０２の内側に設けられる基板１３４と収束部材１３８を有している。
【００４６】
本体部１０２は、上面１０４、底面１０６、一方の側面１０８及び他方の側面１１０で囲まれ、長手方向の両端であって、光書込み装置３２の可動側支持機構１５４側に設けられる可動側端部１１２と，奥側支持機構２１０側に設けられる奥側端部１２２とを有する略直方体状であって、例えば、樹脂材料で形成されている。
【００４７】
また、本体部１０２は、長手方向に沿った中央部分が上面１０４から底面１０６にかけて貫通した貫通部１３０を有しており、この貫通部１３０に基板１３４及び収束部材１３８がそれぞれ隙間を有するように、例えば、接着剤により固定されて設けられている。
【００４８】
可動側端部１１２からは，可動側支持機構１５４に支持される可動側支持片１１４が形成されており、また、奥側端部１２２は奥側支持機構２１０に支持される奥側支持片１２４が形成されている。
【００４９】
可動側支持片１１４は、可動側端部１１２から段差部１１６を有するように屈曲された階段状に延設されており、その先端は本体部１０２の長手方向と平行となるように形成されている。また、可動側支持片１１４を囲むように、本体部１０２の一方の側面１０８及び他方の側面１１０がそれぞれ延設された可動側外壁部１１８がそれぞれ形成されている。なお、この可動側外壁部１１８の上端部１２０は、後述する画像形成ユニット３０が装着された際に画像形成ユニット３０の嵌入部２８８と当接し、光書込み装置本体１００の位置決めに用いられる部分となる（図１７、図１８参照）。
【００５０】
奥側支持片１２４は、奥側端部１２２から延設されており、本体部１０２の長手方向に突出された平面部１２６と、この平面部１２６から下方に向かって形成された垂下部１２８とを有している（図１４参照）。また、奥側支持片１２４を囲むように、本体部１０２の一方の側面１０８及び他方の側面１１０がそれぞれ延設された奥側外壁部１３２が形成されている。
【００５１】
基板１３４は、本体部１０２の底面１０６側に貫通部１３０を覆うように取り付けられている。基板１３４の貫通部１３０側、すなわち基板１３４の上側には、複数のＬＥＤ発光部が長手方向（Ｚ方向）に配設されており、下側には回路が形成されている。また、基板１３４の下側には、長手方向の両端部側にアース端子１３６ａ，１３６ｂがそれぞれ設けられている。また、基板１３４の複数のＬＥＤ発光部が設けられた上側に収束部材１３８が設けられるようになる。
【００５２】
収束部材１３８は、本体部１０２の上面１０４側であって、貫通部１３０に嵌り込むように取り付けられ、基板１３４上のＬＥＤ発光部からの光を収束させるレンズ、例えば、セルフォック（登録商標）レンズアレイであり、基板１３４に対して垂直方向（Ｙ方向）に設けられている。なお、本体部１０２の基板１３４と収束部材１３８との間には隙間が設けられ、この隙間に光が通過するようにされている。
【００５３】
保持体１４０は、底壁部１４２と、底壁部１４２の長手方向に沿った両端辺からそれぞれ立設された一方の側壁部１４４及び他方の側壁部１４６とを有し、断面コ字状に形成され、本体部１０２と比較して剛性が高い、例えば金属材料で形成されている。また、保持体１４０の奥側支持機構２１０が設けられる側は、底壁部１４２が一方の側壁部１４４及び他方の側壁部１４６に比べ長く形成されている（図５、図９、図１３、図１５参照）。なお、保持体１４０の一方の側壁部１４４と他方の側壁部１４６との間を、光書込み装置本体１００が移動されるようになる。
【００５４】
可動側支持機構１５４は、図９〜図１２に示すように、保持体１４０の内側に回転自在に取り付けられた可動側支持部材１５６と、可動側支持部材１５６に取り付けられる第１押圧部材としてのＳ字ばね１８６と、Ｓ字ばね１８６と当接され、保持体１４０に取り付けられた第２押圧部材としての第１アースばねと、を有している。
【００５５】
可動側支持部材１５６は、上部１５８、底部１６０、一方の側部１６２及び他方の側部１６４を有し、一方側の端部には、保持体１４０から露出して配置され、画像形成装置本体１２に挿入された画像形成ユニット３０の嵌入部２８８が嵌り込む嵌合部１６６が形成され、他方側の端部には、保持体１４０の内側に配置される先端部１６８が形成されている。
【００５６】
可動側支持部材１５６は、先端部１６８から嵌合部１６６に亘って所定の幅の略板状体で形成されている。また、可動側支持部材１５６の嵌合部１６６は、可動側支持部材１５６の長手方向に対して上下方向に所定高さ立設されて形成されている。なお、可動側支持部材１５６には、中央部分にＳ字ばね１８６が挿通される開口１７０が形成されている。また、可動側支持部材１５６の両側面であって、開口１７０と先端部１６８の間に保持体１４０に形成された軸受部１４７に回転自在に取り付けられる一対の軸部１７２が形成されている（図１０参照）。さらに、可動側支持部材１５６の上部１５８であって、嵌合部１６６側には、光書込み装置本体１００が支持される支持突起１７４が突出して形成されている。
【００５７】
また、可動側支持部材１５６には、略中央部分に上部１５８から底部１６０に貫通したねじ孔１７６が形成されている。このねじ孔１７６にねじを通すことで、可動側支持部材１５６とＳ字ばね１８６とがねじ止めされて固定されるようになる。
【００５８】
また、可動側支持部材１５６の底部１６０には、突起１７８が形成されており、この突起１７８にＳ字ばね１８６に形成された後述する第２孔１９６を貫通させることで、Ｓ字ばね１８６の位置決めを行うことができる。なお、突起１７８は、例えば円柱状に形成されている。
【００５９】
嵌合部１６６は、可動側支持部材１５６の一方側の端部から可動側支持部材１５６に対して上下方向に延設された柱状体で形成されている。また、嵌合部１６６の可動側支持部材１５６の下側に延設された部分の端部には、画像形成ユニット３０の嵌入部２８８を円滑に嵌め込ませるためのテーパー部１８０が形成されている
【００６０】
さらに、嵌合部１６６の可動側支持部材１５６の上側に延設された部分には、可動側支持部材１５６の長手方向の前後方向に向かって突出した部分がそれぞれ形成されている。嵌合部１６６に対して前方向、すなわち、可動側支持部材１５６の嵌合部１６６から先端部１６８に向かう方向に突出した部分は、取り付けられた光書込み装置本体１００の可動側支持片１１４が支持される支持爪部１８４となっている。
【００６１】
この支持爪部１８４は、可動側支持部材１５６に形成された支持突起１７４と長手方向において重ならないような位置まで後方向に突出されている。なお、支持突起１７４と支持爪部１８４との間に光書込み装置本体１００の可動側支持片１１４が入り込み、支持されるようになる。
【００６２】
また、嵌合部１６６に対して後方向、すなわち、可動側支持部材１５６の先端部１６８から嵌合部１６６に向かう方向に突出した突起は、その上側が傾斜して形成されたテーパー突起１８２となっている。このテーパー突起１８２は、画像形成装置本体１２に画像形成ユニット３０が嵌め込まれるのを円滑に行うための部分である。
【００６３】
Ｓ字ばね１８６は、例えば、金属材料で形成されており、Ｓ字ばね本体１８８とこのＳ字ばね本体１８８を中心として、一方側と他方側にそれぞれ延設された板状の一部をＳ字ばね本体１８８から延設された方向と反対方向に向かうまで曲面状に湾曲させて形成され、押圧されることで反発する力が発生する一方のばね部１９０と他方のばね部１９２を有している。この一方のばね部１９０及び他方のばね部１９２は、それぞれ点対称となるように反対側を向いて設けられている。
【００６４】
また、Ｓ字ばね１８６には、Ｓ字ばね本体１８８にねじが貫通する第１孔１９４と、可動側支持部材１５６の円柱状の突起１７８が貫通される第２孔１９６が形成されている。また、Ｓ字ばね本体１８８の片側の側面には、上方に立設し、この立設した端部側の一方のばね部１９０側であって、Ｓ字ばね１８６の内側方向へ延設されたＳ字ばね支持部１９８が形成されている。このＳ字ばね支持部１９８は、光書込み装置本体１００にＳ字ばね１８６が取り付けられた際に、光書込み装置本体１００の可動側支持片１１４と対向するように配置される。
【００６５】
また、保持体１４０に取り付けられる第１アースばね２００は、例えば、金属材料で形成された板状のばね体であって、数箇所が屈曲された緩やかな段状で形成されている。第１アースばね２００の一方側は、Ｓ字ばね１８６の一方のばね部１９０の湾曲された端部側と当接される当接部２０２となり、他方側は、保持体１４０に取り付けられる取付部２０４となっている。なお、取付部２０４には、複数の孔が形成されており、複数の孔のうち少なくとも１つの孔は、保持体１４０とねじ止めされるためにねじが通るねじ孔２０６となり、他の孔は、保持体１４０に形成された凸部１５３がはまり込み、位置決めがされる止め孔２０８となっている。
【００６６】
そして、可動側支持機構１５４は、Ｓ字ばね１８６を取り付けた可動側支持部材１５６の軸部１７２が保持体１４０に回転自在に取り付けられ、また、保持体１４０に取り付けられた第１アースばね２００の当接部２０２をＳ字ばね１８６の一方のばね部１９０の内側に当接されるようにして設置される。このとき、Ｓ字ばね１８６の他方のばね部１９２は、光書込み装置本体１００に取り付けられた基板１３４のアース端子１３６ａと接触される。このとき、アース端子１３６ａとＳ字ばね１８６と第１アースばね２００並びに保持体１４０が接続されるようになる。
【００６７】
また、保持体１４０の可動側支持機構１５４側には、画像形成装置本体１２に光書込み装置３２が固定される固定部材２７２が設けられている。
【００６８】
なお、可動側支持機構１５４は、光書込み装置本体１００を支持した状態で、可動側支持部材１５６に形成された軸部１７２を軸に、この光書込み装置本体１００の可動側が保持体１４０に対して水平位置と傾斜した位置とが移動される。この移動に伴い、可動側支持機構１５４に支持された光書込み装置本体１００が傾斜した位置と平行な位置とが移動されるようになる。なお、この可動側支持機構１５４の移動は、画像形成ユニット３０の移動と共に行われる。
【００６９】
また、奥側支持機構２１０は、図１３〜図１６に示すように、保持体１４０に回転自在に取り付けられると共に、光書込み装置本体１００を支持する奥側支持部材２１２と、保持体１４０内に設置され、光書込み装置本体１００に取り付けられた基板１３４のアース端子１３６ｂ及び保持体１４０と接触される第２アースばね２２６とを有している。
【００７０】
また、奥側支持機構２１０の奥側支持部材２１２と保持体１４０の間には筒状ばね２３４が設けられている。さらに、奥側支持機構２１０の端部側には、奥側支持機構２１０を覆うように、保持体１４０及び光書込み装置本体１００に装着され、画像形成装置本体１２内と接続される接続部材２３６が設けられている。
【００７１】
奥側支持部材２１２は、略直方体状であって、奥側支持部材２１２の長手方向の一方側は、保持体１４０の内側に配置される部分となり、保持体１４０に回転自在に取り付けられる一対の回転軸２１４が形成されている。また、奥側支持部材２１２の長手方向の他方側には、保持体１４０から露出して配置され、光書込み装置本体１００の奥側支持片１２４が支持される支持部２１６が形成されている。
【００７２】
回転軸２１４は、奥側支持部材２１２の両側面から突出して形成されている。この回転軸２１４は、対向する曲面の一部が直線状に切りかかれた略円柱体で形成されている。そして、この回転軸２１４は、保持体１４０に形成された溝１４８に沿って直線状の部分を通過させ、溝１４８の最奥に形成された円状穴１５０で回転可能に取り付けられる。
【００７３】
また、支持部２１６は、光書込み装置本体１００の奥側支持片１２４が支持される部分となり、奥側支持片１２４の下方に延設された垂下部１２８が挟み込まれて支持される挟持支持部２１８と、奥側支持片１２４の平面部１２６の下側が当接されて支持される当接支持部２２０とを有している。
【００７４】
なお、支持部２１６の下側には、保持体１４０との間に設けられた筒状ばね２３４が取り付けられるばね取付部２２２が形成されている。この筒状ばね２３４が取り付けられることで、奥側支持部材２１２を保持体１４０に取り付けた場合に、奥側支持部材２１２に筒状ばね２３４により上方へ押圧力が加えられ、光書込み装置本体１００が動くことを抑制することができる。
【００７５】
また、奥側支持部材２１２の中央から支持部２１６側の両側面には、光書込み装置３２の移動を規制する規制突起２２４が形成されており、保持体１４０に所定の大きさで形成された規制溝１５２に所定の距離を移動可能なように取り付けられる。
【００７６】
第２アースばね２２６は、例えば、所定の幅を有する金属材料の細長い板体が折り曲げられて形成され、ばね本体部２３０と、ばね本体部２３０の一方側に設けられ、押圧されることで反発する力を有するばね部２２８と、ばね本体部２３０の他方側に設けられ、保持体１４０に取り付けられる設置部２３２とで構成されている。
【００７７】
また、第２アースばね２２６は、ばね部２２８が、ばね本体部２３０からばね本体部２３０に対して斜め上方向に延設されており、設置部２３２が、ばね本体部２３０に対して直角方向に延設して形成されている。そして、第２アースばね２２６は、ばね部２２８が、光書込み装置本体１００に取り付けられた基板１３４のアース端子１３６ｂと接触され、設置部２３２が保持体１４０に取り付けられるようになる。このとき、アース端子１３６ｂと第２アースばね２２６と保持体１４０が接触するようになる
【００７８】
接続部材２３６は、保持体１４０の端部側が取り付けられる底板部２３８を有し、この底板部２３８の長手方向であって、側面側の略中央部分から上方にそれぞれ立設された一対の側壁２４０が形成され、また、底板部２３８の画像形成装置本体１２と接続される側に、複数の接続突起２４６が突出して形成されている。なお、接続部材２３６は、一対の側壁２４０のそれぞれの間に光書込み装置本体１００の各奥側外壁部１３２が嵌り込むことで、光書込み装置本体１００の位置決めがされている。
【００７９】
接続部材２３６は、保持体１４０と光書込み装置３２の奥側の端部に取り付けられ、保持体１４０及び光書込み装置３２のそれぞれが固定される。また、接続部材２３６の各側壁２４０の頂部２４２には、光書込み装置本体１００の移動が規制される規制部材２４８が取り付けられる。
【００８０】
規制部材２４８は、板状の小片体で形成され、接続部材２３６の各側壁２４０の頂部２４２に形成された凸部２４４のそれぞれに嵌り込むような窪み２５０がそれぞれ形成されており、また、中央部に接続部材２３６に取り付けられるためのねじが貫通する孔２５２が形成されている。そして、規制部材２４８は、規制部材２４８の各窪み２５０を接続部材２３６の各側壁２４０の頂部２４２の凸部２４４に嵌め合わせ、ねじ止めされて接続部材２３６に取り付けられる。また、規制部材２４８は、光書込み装置本体１００側に規制片２５４が突出して形成されており、この規制片２５４が、光書込み装置本体１００の奥側支持片１２４に接することで、光書込み装置本体１００の移動が規制されるようになる。
【００８１】
また、接続部材２３６の底板部２３８の下側には、アース部材２５６が取り付けられている。このアース部材２５６は、保持体１４０と接触する接触片２５８を有し、また、画像形成装置本体１２内にアース接続されるアース接続部２６０が形成されている。これにより、光書込み装置３２がアースされるようになる。
【００８２】
また、カバー体２６２は、図５に示すように、保持体１４０の一方の側壁部１４４と他方の側壁部１４６がそれぞれ覆われる側面カバー部２６４を有し、保持体１４０の底壁部１４２側には、各側面カバー部２６４を繋ぐ繋ぎ部２６８が複数箇所に形成されている。また、カバー体２６２の可動側支持機構１５４側には、この可動側支持機構１５４の一部が覆われる可動側カバー部２７０が形成されている。
【００８３】
また、カバー体２６２の一方の側面カバー部２６４には、長手方向に沿ってレール状に突起した案内部２６６が形成されている。この案内部２６６は、画像形成ユニット３０の挿入される角度に対応して傾斜して形成されており、実施形態では、図３Ａに示すように、保持体１４０に対して所定の角度φ、例えば１°傾斜して形成されている。
【００８４】
次に、画像形成装置本体１２への画像形成ユニット３０の装着について説明する。
【００８５】
ここで、画像形成ユニット３０は、図１９及び図２０に示すように、画像形成ユニット本体４０の挿入部２７４から閉塞部２８６に亘って、光書込み装置３２が挿通される挿通溝２７８が形成されている。また、挿入部２７４側には、画像形成装置本体１２内の駆動手段（不図示）に接続される駆動部２７６と、挿通溝２７８の入口２８０が形成されている。なお、挿通溝２７８の入口２８０側の一方の側面２８２側には、光書込み装置３２に形成された案内部２６６に案内される案内溝２８４が形成されている。また、閉塞部２８６の内側には、光書込み装置３２の可動側支持機構１５４の一部が嵌め込まれる嵌入部２８８を有している。
【００８６】
まず、画像形成装置本体１２に画像形成ユニット３０を装着させる場合は、画像形成装置本体１２の側面の開口部１６から挿入されるが、その際、画像形成ユニット３０は、画像形成装置本体１２内の被転写部材５２に対して傾斜した状態で挿入される（図３Ａ参照）。また、このとき、画像形成装置本体１２内の光書込み装置３２は、光書込み装置本体１００のみが傾斜した状態となり、画像形成ユニット３０が挿入されるようになっている（図４Ａ、図１７参照）。
【００８７】
すなわち、実施形態では、光書込み装置３２は画像形成装置本体１２内に固定されたままとなり、光書込み装置本体１００のみが傾斜した状態に移動して、画像形成ユニット３０と接触しないようにされている。このとき、画像形成ユニット３０が挿入される角度φと、光書込み装置本体１００が光書込み装置３２内で傾斜される角度θが同じとされ、例えば、１°とされている（図３Ａ参照）。
【００８８】
また、光書込み装置３２の光書込み装置本体１００が傾斜した状態とは、図４Ａ、図１７に示すように、画像形成装置本体１２内に設けられた光書込み装置３２の保持体１４０内において、光書込み装置本体１００が奥側支持機構２１０の回転軸２１４を軸に、可動側支持機構１５４側の光書込み装置本体１００が下方に移動して保持されている状態である。
【００８９】
このとき、光書込み装置本体１００が傾斜した状態とするために、図１７に示すように、光書込み装置本体１００の可動側支持片１１４が支持されている可動側支持部材１５６が、可動側支持部材１５６に形成された軸部１７２を軸に保持体１４０の内部を嵌合部１６６が下方に移動させて、光書込み装置本体１００が傾斜した状態とさせている。
【００９０】
また、可動側支持部材１５６は、可動側支持部材１５６に取り付けられたＳ字ばね１８６及び保持体１４０に取り付けられた第１アースばね２００により、嵌合部１６６側が下方に移動した状態で保持されるようになっている。すなわち、第１アースばね２００と当接されたＳ字ばね１８６の一方のばね部１９０が、第１アースばね２００の下方に向けてばね力により押圧することで可動側支持部材１５６と共に下方に移動され、且つ、Ｓ字ばね１８６の他方のばね部１９２が光書込み装置本体１００に取り付けられた基板１３４のアース端子１３６ａを押圧することで、可動側支持部材１５６の嵌合部１６６側を下方に配置した状態で保持させることができる。その際、光書込み装置本体１００は、可動側支持片１１４が可動側支持部材１５６の支持突起１７４に支持されていると共に、支持突起１７４と支持爪部１８４との間に置かれることで、位置決めされて保持される。
【００９１】
また、光書込み装置本体１００が傾斜した状態において、奥側支持機構２１０では、光書込み装置本体１００の傾斜に合わせて、奥側支持部材２１２が保持体１４０に対して傾斜した状態で保持される。このとき奥側支持部材２１２は、光書込み装置本体１００の奥側支持片１２４を支持した状態で保持体１４０の円状穴１５０に回転軸２１４を軸に回転されて、光書込み装置本体１００が傾斜した状態で保持されるようになる。
【００９２】
次に、画像形成ユニット３０が傾斜した状態の光書込み装置本体１００に沿って斜めに挿入される（図３Ａ参照）。このとき、画像形成ユニット３０の挿通溝２７８が、光書込み装置３２を挟み込むようにして挿通され、さらに、画像形成ユニット３０に形成された案内溝２８４が、光書込み装置３２のカバー体２６２に形成された案内部２６６に嵌まり込み、案内されながら挿入される。
【００９３】
その後、さらに挿入を続け、画像形成ユニット３０が最奥まで到達されると、画像形成ユニット３０の閉塞部２８６側の内側の嵌入部２８８が、光書込み装置３２の可動側支持機構１５４の一部が保持されるようになる（図３Ｂ、図１７参照）。
【００９４】
このとき、画像形成ユニット３０の嵌入部２８８が可動側支持機構１５４を保持する際には、図１７に示すように、嵌入部２８８の上側は、可動側支持部材１５６の上端面１８５に沿って移動し、光書込み装置本体１００の可動側支持片１１４の可動側外壁部１１８の上端部１２０の上部にまで嵌め込まれる。一方、画像形成ユニット３０の嵌入部２８８の下側は、Ｓ字ばね１８６の一方のばね部１９０が覆われるまで嵌り込むようになる。このＳ字ばね１８６が画像形成ユニット３０の嵌入部２８８に嵌まり込むことで、Ｓ字ばね１８６が押圧され、この押圧による反発力により、可動側支持部材１５６とＳ字ばね１８６が押圧されて、嵌入部２８８内に位置決めされるようになる。
【００９５】
その後、昇降装置が操作されることで、図３Ｃ、図４Ｂ及び図１８に示すように、光書込み装置本体１００と画像形成ユニット３０が傾斜した状態から水平となるように移動され、画像形成ユニット３０の像保持体４２が画像形成装置本体１２内の被転写部材５２と平行となるように対向する位置に配置されると共に、光書込み装置本体１００も画像形成ユニット３０の像保持体４２と平行となるように対向する位置に移動され画像形成ユニット３０が使用可能な状態となる。
【００９６】
このとき、光書込み装置本体１００が水平となるためには、可動側支持機構１５４に挿入された画像形成ユニット３０の嵌入部２８８が上方へ移動されることで、可動側支持機構１５４の可動側支持部材１５６が、軸部１７２を軸に回転し、嵌合部１６６が上昇する方向に移動され、可動側支持部材１５６が水平に移動されるようになる。
【００９７】
その際、可動側支持部材１５６を水平となるように回転移動させるために、画像形成ユニット３０の嵌入部２８８の下側により、Ｓ字ばね１８６の一方のばね部１９０が押圧されて上方へ移動されることで、Ｓ字ばね１８６と取り付けられた可動側支持部材１５６が軸部１７２を軸に回転されて嵌合部１６６側が上方へ移動される。これにより、可動側支持部材１５６に支持された光書込み装置本体１００の可動側支持片１１４側が、可動側支持部材１５６の支持突起１７４に支持された状態で押圧されて上方に移動されて、光書込み装置本体１００が水平な状態となる。なお、Ｓ字ばね１８６の他方のばね部１９２は、基板１３４のアース端子１３６ａと接触したままの状態で移動される。また、Ｓ字ばね１８６の一方のばね部１９０は第１アースばね２００の当接部２０２と共に移動される。
【００９８】
また、画像形成ユニット３０の嵌入部２８８の上側は、光書込み装置本体１００の移動と共に、水平となるように移動される。このとき、光書込み装置本体１００の可動側支持片１１４の可動側外壁部１１８の上端部１２０と当接した状態で移動される。
【００９９】
なお、光書込み装置本体１００が移動される際の奥側支持機構２１０では、光書込み装置本体１００の移動に合わせて、奥側支持部材２１２が保持体１４０に対して傾斜した状態から水平となるように移動される。このとき奥側支持部材２１２は保持体１４０の円状穴１５０に回転軸２１４を軸に回転される。
【０１００】
画像形成ユニット３０と光書込み装置本体１００の移動が完了すると、光書込み装置本体１００と画像形成ユニット３０の像保持体４２と平行となるように対向して配置されるようになり、また、画像形成ユニット３０と画像形成装置本体１２内の被転写部材５２とが平行となるように配置される。
【０１０１】
このとき、画像形成ユニット３０の嵌入部２８８の上側は、光書込み装置本体１００の可動側支持片１１４の可動側外壁部１１８の上端部１２０と当接した状態で保持されており、可動側支持片１１４の底面１０６側は可動側支持部材１５６の支持突起１７４に支持されている。すなわち、光書込み装置本体１００は、下方側はＳ字ばねで押圧された可動側支持部材１５６の支持突起１７４で支持され、上方側は、画像形成ユニット３０の嵌入部２８８により支持されることで、位置決めされるようになる。
【０１０２】
そして、画像形成ユニット３０が装着された後、開閉部１８を閉じ、画像形成装置本体１２への画像形成ユニット３０の装着が完了する。
【０１０３】
また、画像形成装置１０から画像形成ユニット３０を取り外す場合は、まず、開閉部１８を開き、取り出す画像形成ユニット３０に係る昇降装置を操作し、画像形成ユニット３０と光書込み装置本体１００の開閉部１８側を下方に移動させ、傾斜させた状態とする。このとき、画像形成ユニット３０の像保持体４２と、画像形成装置本体１２内の被転写部材５２とが離れる（図３Ｂ、図１７参照）。
【０１０４】
なお、光書込み装置３２内で光書込み装置本体１００が傾斜するように移動されると、可動側支持機構１５４では、可動側支持部材１５６が、軸部１７２を軸に嵌合部１６６側が下方に移動するようになる。この移動は、可動側支持部材１５６に取り付けられたＳ字ばね１８６が保持体１４０に取り付けられた第１アースばね２００に押圧されると共に、Ｓ字ばね１８６の他方のばね部１９２が光書込み装置本体１００の基板１３４のアース端子１３６ａを押圧することで、可動側支持部材１５６の軸部１７２を軸に回転されて嵌合部１６６側が下方へ移動するようになる。
【０１０５】
このように可動側支持部材１５６が移動されることにより、可動側支持部材１５６に支持されていた光書込み装置本体１００の可動側支持片１１４が嵌合部１６６の支持爪部１８４に引っ掛けられて可動側支持部材１５６と共に、可動側支持片１１４側が下方に移動するようになり、傾斜した状態で保持されるようになる。
【０１０６】
なお、このときの奥側支持機構２１０では、光書込み装置本体１００が傾斜することで、光書込み装置本体１００の奥側支持片１２４を支持している奥側支持部材２１２が回転軸２１４を軸に回転して、傾斜した状態となる。
【０１０７】
その後、画像形成ユニット３０を斜め方向に向かって引き抜く（図３Ａ参照）。このとき、画像形成ユニット３０の案内溝２８４が光書込み装置３２のカバー体２６２に形成された案内部２６６に案内されて移動させる。
【０１０８】
そして、画像形成ユニット３０を画像形成装置本体１２から抜き出すことで、画像形成ユニット３０の取り外しが完了する。
【符号の説明】
【０１０９】
１０    画像形成装置
１２    画像形成装置本体
１６    開口部
１８    開閉部
３０    画像形成ユニット
３２    光書込み装置
４２    像保持体
５２    被転写部材
５４    一次転写ロール
８８    定着装置
１００    光書込み装置本体
１０２    本体部
１１２    可動側端部
１１４    可動側支持片
１１８    可動側外壁部
１２０    上端部
１２２    奥側端部
１２４    奥側支持片
１２６    平面部
１２８    垂下部
１３２    奥側外壁部
１３４    基板
１３６ａ、１３６ｂ    アース端子
１３８    収束部材
１４０    保持体
１４２    底壁部
１４４    一方の側壁部
１４６    他方の側壁部
１４７    軸受部
１５０    円状穴
１５４    可動側支持機構
１５６    可動側支持部材
１６６    嵌合部
１６８    先端部
１７２    軸部
１７４    支持突起
１８２    テーパー突起
１８４    支持爪部
１８５    上端面
１８６    Ｓ字ばね（第１押圧部材）
１９０    一方のばね部
１９２    他方のばね部
２００    第１アースばね（第２押圧部材）
２０２    当接部
２１０    奥側支持機構
２１２    奥側支持部材
２１４    回転軸
２１６    支持部
２１８    挟持支持部
２２０    当接支持部
２２６    第２アースばね
２２８    ばね部
２３６    接続部材
２４６    接続突起
２５６    アース部材
２６２    カバー体
２６４    側面カバー部
２６６    案内部
２７４    挿入部
２７８    挿通溝
２８４    案内溝
２８６    閉塞部
２８８    嵌入部
【図１】
2017037266.tif 000003
【図２】
2017037266.tif 000004
【図３】
2017037266.tif 000005
【図４】
2017037266.tif 000006
【図５】
2017037266.tif 000007
【図６】
2017037266.tif 000008
【図７】
2017037266.tif 000009
【図８】
2017037266.tif 000010
【図９】
2017037266.tif 000011
【図１０】
2017037266.tif 000012
【図１１】
2017037266.tif 000013
【図１２】
2017037266.tif 000014
【図１３】
2017037266.tif 000015
【図１４】
2017037266.tif 000016
【図１５】
2017037266.tif 000017
【図１６】
2017037266.tif 000018
【図１７】
2017037266.tif 000019
【図１８】
2017037266.tif 000020
【図１９】
2017037266.tif 000021
【図２０】
2017037266.tif 000022